(57)【特許請求の範囲】
【請求項１】
ランドセル本体Ａの外底面Ｂに取付ける取付基台（１０）と、蓋板Ｃの一端に設けた舌片Ｄに取付ける差込板（２）とからなり、
前記差込板（２）は、板部（３）の中央下辺に水平部（５）を設けた係止窓孔（４）を形成して前記板部（３）の上方に前記蓋板Ｃに設けた舌片Ｄに連結するための鋲孔（６）を設け、前記取付基台（１０）は、左右方向に拡げた固定部（１１）の表面にランドセル本体Ａの背負ベルトＥの一端を連結する連結具Ｆを回転可能に取付ける座部（１２）を形成し、中央の上下方向に一体に設けた摺動部（１３）に、前記蓋板Ｃの一端に取付けた差込板（２）をロックする施錠機構（４５）と、差込板（２）をアンロックする開錠機構（７１）を内蔵した可動体（３１）とを、前記取付基台（１０）と可動体（３１）との間に設けた摺動機構（３８）で上下動可能に取付け、前記可動体の上下動を所定位置で停止（ロック）させる停止機構（２４）を備えてなることを特徴とするランドセル用錠前金具。
【請求項２】
前記摺動機構（３８）は、前記摺動部（１３）の中央上下方向に設けた摺動孔（１４）に、前記可動体（３１）を構成する下部基板（３２）の下面に突出させたガイド支持部（３４）を嵌合し、該ガイド支持部の外底面に取付けたガイド板（４１）で前記摺動孔（１４）の鍔部（１５）を挟持して摺動可能に取付けてなることを特徴とする請求項１記載のランドセル用錠前金具。
【請求項３】
前記停止機構（２４）は、前記摺動部（１３）の両側に設けた案内壁部（１８）の中央に形成した切欠溝部（１９）に、一対の作動片（２５）をばね（２８）でそれぞれ付勢させて押圧可能に収容し、該作動片に設けた係止爪部（２６）と、前記可動体（３１）を構成する上部枠体（６５）の下面両側の対称位置に任意間隔で複数設けた係止凹部（６６）とを嵌合可能に形成してなり、前記ばね（２８）で付勢された作動片（２５）の係止爪部（２６）が、上部枠体（６５）の係止凹部（６６）に嵌合して可動体（３１）を停止（ロック）させ、前記案内壁部（１８）の両側に設けた一対の作動片（２５）をランドセル本体Ａの外底面Ｂ方向へ同時に押圧すると、係止爪部（２６）が係止凹部（６６）から離脱させて可動体（３１）を開錠させて上下方向に摺動可能にしたことを特徴とする請求項１記載のランドセル用錠前金具。
【請求項４】
前記可動体（３１）は、板部（３３）の中央長手方向を断面Ｌ字形で先端を互いに対向させて下面側に突出させたガイド支持部（３４）を形成し、且つ、板部（３３）の長手方向両側を内側に折り曲げて断面コ字形に対向させた左右一対の保持枠部（３５）を設けた下部基板（３２）と、下端内縁に前記下部基板（３２）を取付ける嵌合段部（７０）を形成し、長手方向の両側端面に前記停止機構（２４）を構成する作動片（２５）の係止爪部（２６）が嵌合する複数の係止凹部（６６）を設け、該上部枠体(６５）の上側中央に前記差込板（２）を挿入する差込口（６７）を形成し、該表面側の下方に開錠機構（７１）を構成する押釦（７６)が挿通する釦孔（６８）を設け、該釦孔の上縁に押釦（７６）の誤操作を防止するための鍔部（６９）を設けてなる上部枠体（６５）と、該上部枠体の上端面中央に設けた差込口（６７）に取付ける差込ガイド板（７８）とからなることを特徴とする請求項３記載のランドセル用錠前金具。
【請求項５】
前記可動体（３１）に収容した施錠機構（４５）は、下部基板（３２）の両側に対向させて設けた保持枠部（３５）の上方を幅方向に貫通させて係止窓孔（３６）を形成し、該係止窓孔に下辺中央を楔状に突出させた係止爪部（４７）を有した板状の押圧部（４８）を挿通した可動ロック板（４６）と、該可動ロック板の裏側を付勢して可動ロック板（４６）を揺動可能に形成した円錐ばね（４９）と、前記保持枠部（３５）の下方内部に収容する正面側を縦長に開口して内部にばね（５５）を収容した左右一対の下部枠片（５２）と、該下部枠片の上方に、前記下部枠片内に収容したばね（５５）で上下方向に摺動可能に付勢して前記可動体（３１）内に差し込まれた差込板（２）の先端面と当接するスライダー板（５８）とからなり、前記可動体（３１）の差込口（６７）から差し込んだ差込板（２）の先端が、スライダー板（５８）を押下げながら進入すると、可動ロック板（４６）の係止爪部（４７）が差込板（２）の係止窓部（４）に嵌合して差込板（２）の進入を停止してロックすることを特徴とする請求項１または４記載のランドセル用錠前金具。
【請求項６】
前記可動体（３１）に収容した開錠機構（７１）は、前記可動体（３１）を構成する上部枠体（６５）の裏側の上方に、水平方向に設けた支持軸（７３）で枢動可能に取付けたレバー板（７２）と、該レバー板の下方に前記上部枠体（６５）の釦孔（６８）内に位置した押釦（７６）と、前記レバー板（７２）の上方で左右両側に設けた押圧腕部（７４）の先端を前記可動ロック板（４６）の左右両側に設けた押圧部（４８）に当接してなり、前記レバー板（７２）の下部に取付けた押釦（７６）を押すと、押圧腕部（７４）の先端が可動ロック板（４６）の押圧部（４８）を押圧して係止爪部（４７）を係止窓孔（４）から離脱させると同時に、ばね５５の弾発力でスライダー板（５８）を上昇させて差込板（２）を可動体（３１）の差込口（６７）方向に押し出して離脱させることにより開錠することを特徴とする請求項１または４記載のランドセル用錠前金具。
【発明の詳細な説明】
【技術分野】
【０００１】
本発明は、ランドセルの開口部を開閉可能に覆う蓋板の先端を着脱可能に施錠する錠前金具に関する。
【背景技術】
【０００２】
従来、ランドセルの蓋板の先端を着脱可能に施錠する錠前金具または掛止金具からなる蓋板の係止機構は、ランドセル本体の外底面に取付けた錠前金具に、蓋板の先端に取付けた金属製の掛止板を着脱可能に取付けたものが多く使用されている。前記錠前金具は、内部中央に永久磁石を備えた本体の中央に、軸杆の外端に一体成形でＴ形に形成した摘子を回転可能に植設して支持すると共に、蓋板の先端に取付けた掛止板には蓋板の締緩調整をするため横長の嵌合孔を任意間隔で二段や三段に設けて形成されている。
【０００３】
ランドセル本体の外底面に取付けた金具本体と、蓋板に取付けた掛止板をロックする場合、掛止板の嵌合孔のいずれかを前記取付金具の摘子に嵌合すると、掛止板が取付金具に内蔵された永久磁石によって取付金具の表面に吸着される。次いで、掛止板の表面に突出した摘子を回転させて前記掛止板の嵌合孔の長手方向と直交させることによりロックしている。掛止板をアンロックする場合、掛止板の嵌合孔の長手方向と直交させてある摘子を回転させて嵌合孔の長手方向と並行に位置させた後、永久磁石によって吸着されている掛止板を離脱させることにより行うものが知られている。
【先行技術文献】
【特許文献】
【０００４】
【特許文献１】特開２００１−２５２１２１号公報
【特許文献２】実開昭６３−５８１８号公報
【発明の概要】
【発明が解決しようとする課題】
【０００５】
前記ランドセル本体の開口部を蓋板で閉じる場合、掛止板に設けた複数の嵌合孔のいずれかを選択してロックするかは、ランドセル本体内に収容される教科書や参考書またはノートなどの量によって異なる。即ち、ランドセル本体内に収容される教科書の量が少ない場合には強く締め、教科書が多い場合は緩く被せている。しかし、収容する教科書やノートが少ないときに蓋板を緩く閉めると収容室内の教科書やノートが移動して傷付きやすい。そのため、蓋板を閉じたときに適正な状態に締めることができる判断をすることができれば問題がないが、特に、ランドセルを使用する低学年の子供が使用する場合、適正な締め状態であるか否かを判断して蓋板を閉じることは困難である。
【０００６】
蓋板が適正な締め状態でない場合は、前記したごとく、前記掛止板を一度ロックした摘子を回転させて摘子の長手方向と掛止板の嵌合孔を合致させてアンロックし、掛止板を摘子から離脱させてから再度、適正な位置の嵌合孔に摘子を合わせて挿入した後、摘子を回転させてロックしなければならない。この掛止板の掛け替え作業は、比較的面倒であることから蓋板の調整作業を行うことが少なく、蓋板が浮き上がった状態のまま使用される場合が多い。そのためランドセル本体内に収容される教科書や教材などが傷みやすいなどの多くの問題点を有している。
【０００７】
本発明は、錠前金具の構成部品に永久磁石を使用することなく、蓋板の先端に取付けた差込板をワンタッチで確実に錠前金具に装着することができるようにし、且つ、差込板を錠前金具に装着した状態のままで蓋板の締緩調節を可能にしたことにより、蓋板の締緩操作を簡単に誰でもすることができ、さらには、錠前金具に連結する差込板のロックやアンロックをする場合、摘子を回転させて着脱操作をしないことから低学年の小学生でも簡単で安全に操作することができる錠前装置を提供することを目的とする。
【０００８】
本発明は、ランドセル本体Ａの外底面Ｂに取付ける取付基台１０と、蓋板Ｃの一端に設けた舌片Ｄに取付ける差込板２とからなり、前記差込板２は板部３の中央下辺に水平部５を設けた係止窓孔４を形成して前記板部３の上方に前記蓋板Ｃに設けた舌片Ｄに連結するための鋲孔６を設け、前記取付基台１０は左右方向に拡げた固定部１１の表面にランドセル本体Ａの背負ベルトＥの一端を連結する連結具Ｆを回転可能に取付ける座部１２を形成し、中央の上下方向に一体に設けた摺動部１３に、前記蓋板Ｃの一端に取付けた差込板２をロックする施錠機構４５と差込板２をアンロックする開錠機構７１を内蔵した可動体３１とを、前記取付基台１０と可動体３１との間に設けた摺動機構３８で上下動可能に取付け、前記可動体の上下動を所定位置で停止（ロック）させる停止機構２４を設けてなることを特徴とする。また、前記摺動機構３８は、前記摺動部１３の中央上下方向に設けた摺動孔１４に、前記可動体３１を構成する下部基板３２の下面に突出させたガイド支持部３４を嵌合し、該ガイド支持部の外底面に取付けるガイド板４１で前記摺動孔１４の鍔部１５を挟持して摺動可能に形成したことを特徴とする。さらに、前記停止機構２４は、前記摺動部１３の両側に設けた案内壁部１８の中央に形成した切欠溝部１９に、一対の作動片２５をばね２８でそれぞれ付勢させて押圧可能に収容し、該作動片に設けた係止爪部２６と、前記可動体３１を構成する上部枠体６５の下面両側の対称位置に任意間隔で複数設けた係止凹部６６とを嵌合可能に形成してなり、前記ばね２８で付勢された作動片２５の係止爪部２６が、上部枠体６５の係止凹部６６に嵌合して可動体３１を停止（ロック）させ、前記案内壁部１８の両側に設けた一対の作動片２５をランドセル本体Ａの外底面Ｂ方向へ同時に押圧すると、係止爪部２６が係止凹部６６から離脱させて可動体３１を開錠させて上下方向に摺動可能にしたことを特徴とする。さらにはまた、前記可動体３１は、板部３３の中央長手方向を断面Ｌ字形で先端を互いに対向させて下面側に突出させたガイド支持部３４を設け、且つ、板部３３の長手方向両側を内側に折り曲げて断面コ字形に対向させた左右一対の保持枠部３５を設けた下部基板３２と、下端内縁に前記下部基板３２を取付ける嵌合段部７０を形成し、長手方向の両側端面に前記停止機構２４を構成する作動片２５の係止爪部２６が嵌合する複数の係止凹部６６を設け、該上部枠体６５の上側中央に前記差込板２を挿入する差込口６７を形成し、表面側の下方に開錠機構７１を構成する押釦７６を挿通する釦孔６８を設け、該釦孔の上縁に押釦７６の誤操作を防止するための鍔部６９を設けてなる上部枠体６５と、該上部枠体の上端面中央に設けた差込口６７に取付ける差込ガイド板７８とからなることを特徴とする。また、前記可動体３１に収容した施錠機構４５は、下部基板３２の両側に対向させて設けた保持枠部３５の上方を幅方向に貫通させて係止窓孔３６を形成し、該係止窓孔に下辺中央を楔状に突出させた係止爪部４７を有した板状の押圧部４８を挿通した可動ロック板４６と、該可動ロック板の裏側を付勢して可動ロック板４６を揺動可能に形成した円錐ばね４９と、前記保持枠部３５の下方内部に収容する正面側を縦長に開口して内部にばね５５を収容した左右一対の下部枠片５２と、該下部枠片の上方に、前記下部枠片内に収容したばね５５で上下方向に摺動可能に付勢して前記可動体３１内に差し込まれた差込板２の先端面と当接するスライダー板５８とからなり、前記可動体３１の差込口６７から差し込んだ差込板２の先端が、スライダー板５８を押下げながら進入すると、可動ロック板４６の係止爪部４７が差込板２の係止窓部４に嵌合して差込板２の進入を停止してロックされることを特徴とする。さらに、前記可動体３１に収容した開錠機構７１は、前記可動体３１を構成する上部枠体６５の裏側の上方に、水平方向に設けた支持軸７３で枢動可能に取付けたレバー板７２と、該レバー板の下方に前記上部枠体６５の釦孔６８内に位置した押釦７６と、前記レバー板７２の上方で左右両側に設けた押圧腕部７４の先端を前記可動ロック板４６の左右両側に設けた押圧部４８に当接してなり、前記レバー板７２の下部に取付けた押釦７６を押すと、押圧腕部７４の先端が可動ロック板４６の押圧部４８を押圧して係止爪部４７を係止窓部４から離脱させると同時に、ばね５５の弾発力でスライダー板５８が上昇して差込板２を可動体３１の差込口６７方向に押し出して離脱させて開錠することを特徴とする。
【発明の効果】
【０００９】
以上のごとく、本発明は、ランドセル本体Ａの外底面Ｂに設けた取付基台１０の中央に可動体３１を摺動可能に取付け、この可動体３１内にランドセル本体Ａの開口部を覆う蓋板Ｃの一端に取付けた差込板２を差し込むだけのワンタッチ操作で簡単にロックすることができる施錠機構４５と、押釦７６を押すだけの簡単な操作で開錠することができる開錠機構７１を備え、また、前記取付基台１０と可動体３１との間に、一度連結した差込板２を可動体３１から外すことなく、前記差込板２を装着したままの状態で可動体３１を摺動させる摺動機構３８と、所定箇所で停止させる停止機構２４を備えたことにより、差込板２を可動体３１に差し込んだままで蓋板Ｃの締緩調整を簡単に行うことができるので、ランドセル本体内に収容された教科書や教材などの傷みを防止することができ、また、低学年の小学生でも簡単に操作することができて便利である。
【図面の簡単な説明】
【００１０】
【図１】ランドセルの外底面に本発明の錠前金具を取付けた状態の正面図である。
【図２】取付基台の可動体に差込板を差し込まれる前の状態を示す正面図である。
【図３】可動体を取付た取付基台の平面図である。
【図４】図２のＡ―Ａ線断面図である。
【図５】差込板が可動体に差し込まれる前の停止機構と施錠機構を示す図４のＢ―Ｂ線断面図である。
【図６】差込板が可動体に差し込まれたロック状態の停止機構と施錠機構を示す図４のＢ―Ｂ線断面図である。
【図７】取付基台の背面図である。
【図８】取付基台の一部を破断した図２のＣ―Ｃ線断面図である。
【図９】停止機構の要部拡大断面図である。
【図１０】可動体の下部枠板に取付けた摺動機構と施錠機構を示す縦断面図である。
【図１１】停止機構で作動片をアンロックした状態を示す一部破断した底面図である。
【図１２】可動体を移動させた状態を示す錠前金具の正面図である。
【図１３】差込板が可動体にロックされた状態を示す縦断面図である。
【図１４】下部枠片にスライダー板を装着した正面図である。
【図１５】下部基板に施錠機構である可動ロック板と下部枠片とスライダー板を取付けた状態の正面図である。
【図１６】開錠機構を備えた上部枠体の縦断面図である。
【図１７】差込板をロックした状態の施錠機構と開錠機構の配置正面図である。
【図１８】差込板をロックした状態の施錠機構と開錠機構の配置側面図である。
【図１９】差込板が開錠機構によって開錠された状態を示す可動体の縦断面図である。
【図２０】差込板が開錠された状態を示す開錠機構の配置図である。
【発明を実施するための形態】
【００１１】
本発明の実施の形態を図面により説明すると、図１はランドセルの外底面に本発明の錠前金具を取付けた状態の正面図、図２は取付基台の可動体に差込板を差し込まれる前の状態を示す正面図、図３は可動体を取付た取付基台の平面図、図４は図２のＡ―Ａ線断面図、図５は差込板が可動体に差し込まれる前の停止機構と施錠機構を示す図４のＢ―Ｂ線断面図、図６は差込板が可動体に差し込まれた後の停止機構と施錠機構を示す図４のＢ―Ｂ線断面図、図７は取付基台の背面図、図８は取付基台の一部を破断した図２のＣ―Ｃ線断面図、図９は停止機構の要部拡大断面図、図１０は可動体の下部枠板に取付けた摺動機構と施錠機構を示す縦断面図である。錠前金具１は、図１に示すごとく、ランドセル本体Ａの外底面Ｂに取付ける取付基台１０の中央に、前記ランドセル本体Ａの蓋板Ｃの一端に設けた舌片Ｄに取付けた差込板２を着脱可能に取付ける可動体３１を上下方向に摺動可能に取付けてなり、前記差込板２は、図２に示すごとく、板部３の中央に、下辺に水平部５を設けた係止窓孔４を形成し、前記板部３の上方に前記蓋板Ｃに設けた舌片Ｄに連結するための鋲孔６を設けてある。
【００１２】
前記取付基台１０は、図２、３、７に示すごとく、左右方向に拡げた固定部１１の表面両側にランドセル本体Ａの背負ベルトＥの一端を連結する連結具Ｆを回転可能に取付ける座部１２をそれぞれ形成し、前記固定部１１の中央両側部分に案内壁部１８をそれぞれ設けた摺動部１３を一体に形成し、該摺動部の上面上下方向に凹凸状の溝部１６を設け、該摺動部１３上を摺動する可動体３１との摩擦抵抗を減少させてスムースに上下動可能に形成してある。
【００１３】
前記可動体３１は、図２、４、１５、１６に示すごとく、取付基板１０の摺動部１３上に摺動機構３８により摺動可能に取付け、且つ、可動体３１を摺動部１３上の所定位置に停止（ロック）させる停止機構２４を、前記摺動部１３の両側に設けた案内壁部１８と可動体３１との間に設けてある。
【００１４】
前記停止（ロック）機構２４は、図８に示すごとく、摺動部１３の両側に設けた案内壁部１８、１８の内側に形成した切欠溝部１９の下面に形成した嵌合凹部２０に、ばね２８で付勢させて天地方向に押圧可能な一対の作動片２５と、前記可動体３１を構成する上部枠体６５の両側下端面の対称位置に設けた複数の係止凹部６６とからなり、図９に示すごとく、前記作動片２５を収容する嵌合凹部２０は、下方にばね受部２１と作動片２５の係止爪部２６が挿通する開口部２２を設け、作動片２５の内部で下面を開口して設けたばね受溝部２７にばね２８を収容し、該ばねの下端を前記ばね受部２１に支持させて作動片２５を上方に付勢させ、作動片２５の内側に突設した係止爪部２６と前記上部枠体６５の下面に設けた係止凹部６６とを嵌合可能に取付けてある。
【００１５】
前記停止機構２４によりロックされた可動体３１のアンロックは、前記案内壁部１８の中央に設けた一対の作動片２５の両方をランドセル本体Ａの底面部Ｂ方向へ同時に押圧すると、係止爪部２６が係止凹部６６から開口部２２方向に移動して離脱させることにより可動体３１を上下方向に摺動させることができる（図１１）。
【００１６】
前記摺動機構３８は、図４、８、１０に示すごとく、前記摺動部１３の中央上下方向で内周面に鍔部１５を有した摺動孔１４に、前記可動体３１の下部基板３２の下面に互いの端面を対抗させて突出した鉤形のガイド支持部３４を嵌合し、該ガイド支持部の内底面に保持片３９を収容し、外底面側に前記摺動孔１４の鍔部１５を挟持するガイド板４１を前記ガイド支持部３４の外側から前記保持片３９に止めねじ４２で固定することにより可動体３１が摺動孔１４内を上下方向に摺動可能に取付けてある。
【００１７】
前記可動体３１は、図４に示すごとく、扁平な板部３３からなる下部基板３２と、該下部基板の上面に被せる上部枠体６５と、該上部枠体の上側の中央に設けた差込口６７と、該差込口と前記下部基板３２との間に取付ける差込ガイド板７８とからなり、前記下部基板３２は前記したごとく、板部３３の下面側に断面Ｌ字形で互いに対向させて突出させたガイド支持部３４を設け、板部３３の長手方向両側を内側に折り曲げて断面コ字形に対向させた左右一対の保持枠部３５を形成し、該保持枠部の上方両側を幅方向にそれぞれ貫通させて係止窓孔３６を設けてある（図１５）。
【００１８】
前記上部枠体６５は、図１６に示すごとく、下端周縁に前記下部基板３２を取付ける嵌合段部７０を形成し、長手方向の両側端面に前記停止機構２４を構成する作動片２５の係止爪部２６が嵌合するための係止凹部６６を一定間隔で複数設け、該上部枠体の上側中央に前記差込板２を挿入する差込口６７を形成し、下方側の表面側に開錠機構７１を構成する押釦７６が挿通する釦孔６８を形成し、該釦孔の上縁に押釦７６の誤操作を防止するための鍔部６９を設けてある。前記上部枠体６５の上側中央に設けた差込口６７と下部基板３２との間に前記差込板２を確実に差込口６７に案内するための差込ガイド板７８を取付け、差込板２をスムースに差込口６７に挿入可能に取付けてある。
【００１９】
前記施錠機構４５は、図６、１０、１３に示すごとく、前記下部基板３２の両側に設けた保持枠部３５の上方を幅方向にそれぞれ貫通させて設けた係止窓孔３６に揺動可能に取付けた可動ロック板４６と、該可動ロック板の背面側を前記保持片３９の上面に設けた座部４０に着座させた円錐ばね４９の上端とを当接させて付勢し、前記可動ロック板４６は、下辺中央を楔状に突出させて係止爪部４７を設け、左右両側に設けた押圧部４８を前記係止窓孔３６に挿通して揺動可能に取付けてある。
【００２０】
下部枠片５２は、図１４に示すごとく、前記保持枠部３５の下方に収容され、縦長で正面側を開口した左右一対のばね筒部５３を断面コ字形に形成し、該ばね筒部の内底面にばね５５の一端を支持するばね止軸５６を設け、且つ、前記ばね筒部５３の側面の上下方向を連結部５４でそれぞれ連結してある。前記ばね筒部５３に収容したばね５５は、下端を前記ばね止軸５６に支持し、上端を前記差込板２の先端面と当接する板受部５９を有したスライダー板５８のばね軸部６１に支持させて前記スライダー板５８を上下方向に摺動可能に付勢させて取付けてある（図１５）。
【００２１】
開錠機構７１は、図１６、１８に示すごとく、前記可動体３１を構成する上部枠体６５の裏側に取付けたレバー板７２と、該レバー板を操作する押釦７６とからなり、前記レバー板７２は、上方水平方向に設けた支持軸７３を上部枠体６５の裏側に枢動可能に軸支し、幅方向の左右両側に設けた押圧腕部７４の先端を前記可動ロック板４６に当接し、レバー板７２の下方に取付けた押釦７６をランドセル方向に押圧してレバー板７２を枢動させることにより、レバー板７２の押圧腕部７４の先端で前記可動ロック板４６を押圧可能に形成してある。
【００２２】
以下、本発明の実施の形態の作用について説明すると、ランドセル本体Ａの外底面Ｂに取付けた取付基台１０には、中央上下方向に設けた摺動部１３を摺動する可動体３１を取付けてある。この可動体３１に、蓋板Ｃの一端に設けた舌片Ｄに取付けてある差込板２を着脱可能に挿入する場合、図６に示すごとく、差込板２の先端を可動体３１の差込口６７から差し込むと、差込板２の先端がスライダー板５８を押下げながら進入すると、可動ロック板４６の係止爪部４７が差込板２に押されて円錐ばね４９方向に後退し、可動ロック板４６の係止爪部４７が差込板２の係止窓孔４と一致すると、円錐ばね４９の弾発力で押圧されている可動ロック板４６の係止爪部４７が差込板２の係止窓孔４に嵌合して停止（ロック）する（図１３）。
【００２３】
したがって、施錠機構４５によってロックされた差込板２は、先端をスライダー板５８によって付勢され、差込板２の係止窓孔４に係止された可動ロック板４６の係止爪部４７は、円錐ばね４９で付勢されているため差込板２が、がたつくことなく確実にロックすることができる。
【００２４】
開錠機構７１による差込板２の開錠は、図１６、１９、２０に示すごとく、可動体３１の表面に設けた釦孔６８内に収容されている押釦７６を押圧すると、レバー板７２が枢動して押圧腕部７４の先端が可動ロック板４６の押圧部４８を押圧し、可動ロック板４６の係止爪部４７が差込板２の係止窓孔４から離脱すると同時に、差込板２により押圧されていたスライダー板５８がばね５５の弾発力で上昇する。前記スライダー板５８で押圧された差込板２は、係止窓孔４を可動ロック板４６の係止爪部４７より上方に位置し、差込板２を可動体３１の差込口６７から引き抜くことにより、ワンタッチで簡単に離脱させることができる。
【００２５】
したがって、従来のごとく、永久磁石を使用して差込板２を取付基台に吸着させてから摘子を回転させてロックするのではなく、可動体３１の差込口６７に差込板２を差し込むだけのワンタッチで確実に施錠することができ、且つ、差込板２の素材に金属板を使用することなく合成樹脂材からなる差込板を使用することができるので、安価であると共にランドセルの軽量化を図ることができる。
【００２６】
差込板２を可動体３１にロックした状態で蓋板Ｃの弛みを締める場合、従来は、可動体３１にロックされた差込板２を一度、外してから違う孔に差し込んで施錠しなければならなかったが、本願の錠前金具１は、ランドセル本体Ａの外底面Ｂに取付けた取付基台１０の可動体３１に蓋板Ｃの一端に取付けてある差込板２を挿入して施錠された状態で、取付基台１０の案内壁部１８に設けた停止機構２４である一対の作動片２５を同時に外底面Ｂ方向に押し下げることにより、係止爪部２６を可動体３１の係止凹部６６から離脱させて、フリーになった可動体３１を蓋板Ｃが締まる方向にスライドさせるだけの簡単な操作で締めることができるので、ランドセル本体内に収容される教科書や教材などが傷みを防止することができる（図１１、１２）。
【００２７】
係止凹部６６から離脱させて可動体３１をフリーにした後、作動片２５を離すと係止爪部２６は、可動体３１の上部枠体の端面に当接し、可動体３１を締め方向にスライドさせて蓋板Ｃを締めると、上部枠体６５の端面に設けた他の係止凹部６６にばね２８で付勢されている作動片２５の係止爪部２６が嵌合して可動体３１を停止（ロック）させることができる。したがって、従来のごとく、一度差込板２を外してから違う孔に差し込んで施錠する手間が省け、簡単に調節することができるので、低学年の生徒でも簡単に操作することができるので便利である。
【符号の説明】
【００２８】
１    錠前金具
２    差込板
４    係止窓孔
１０    取付基台
１１    固定部
１３    摺動部
１４    摺動孔
１８    案内壁部
１９    切欠溝部
２４    停止機構
２５    作動片
２６    係止爪部
２８    ばね
３１    可動体
３２    下部基板
３４    ガイド支持部
３５    保持枠部
３６    係止窓孔
３８    摺動機構
３９    保持片
４５    施錠機構
４６    可動ロック板
４７    係止爪部
４９    円錐ばね
５２    下部枠片
５３    ばね筒部
５５    ばね
５８    スライダー板
５９    板受部
６５    上部枠体
６６    係止凹部
６７    差込口
６８    釦孔
７１    開錠機構
７２    レバー板
７４    押圧腕部
７６    押釦
７８    差込ガイド板
Ａ    ランドセル本体
Ｂ    外底面
Ｃ    蓋板
Ｄ    舌片
【図１】
0005551659.tif 000002
【図２】
0005551659.tif 000003
【図３】
0005551659.tif 000004
【図４】
0005551659.tif 000005
【図５】
0005551659.tif 000006
【図６】
0005551659.tif 000007
【図７】
0005551659.tif 000008
【図８】
0005551659.tif 000009
【図９】
0005551659.tif 000010
【図１０】
0005551659.tif 000011
【図１１】
0005551659.tif 000012
【図１２】
0005551659.tif 000013
【図１３】
0005551659.tif 000014
【図１４】
0005551659.tif 000015
【図１５】
0005551659.tif 000016
【図１６】
0005551659.tif 000017
【図１７】
0005551659.tif 000018
【図１８】
0005551659.tif 000019
【図１９】
0005551659.tif 000020
【図２０】
0005551659.tif 000021